(57)【特許請求の範囲】
【請求項１】
Ａ．長方形状の平面を持つ基台と、
Ｂ．この基台の平面を一方の長辺から短辺方向の半部を塞ぐ姿勢で装着された鍵盤と、
Ｃ．上記鍵盤の背面に沿って配置した第１スライドレールと、
Ｄ．上記基台の他方の長辺に沿って配置した第２スライドレールと、
Ｅ．これら第１スライドレールと第２スライドレールによって上記鍵盤の鍵の配列方向に移動自在に支持された一対のラックマウント部材と、を備え、
上記一対のラックマウント部材は、それぞれ一端側は第１スライドレールの軸線と直交する向に対しては上記軸線を軸として回動自在に支持され、他端側はそれぞれ２本のリンクレバーを介して上記第２スライドレールに連結されている構造としたことを特徴とする鍵盤装置。
【請求項２】
請求項１記載の鍵盤装置において、上記一対のラックマウント部材は、それぞれ一端側は上記第１スライドレールの軸線方向に対してはスライド自在とされ、第１スライドレールの軸線と直交する向に対しては上記軸線を軸として回動自在に支持され、他端側はそれぞれ２本のリンクレバーを介して上記第２スライドレールにスライド自在に連結されている構造としたことを特徴とする鍵盤装置。
【請求項３】
請求項１に又は２の何れかに記載の鍵盤装置において、上記一対のラックマウント部材は所定の間隔を保持して第２スライドレールに取付られ、上記第１スライドレール及び第２スライドレールの軸線と平行するラックマウント面と、このラックマウント面に中心位置が一方のラックマウント部材と他方のラックマウント部材のそれぞれの間でラックマウント規格に準拠した間隔を保持して形成したネジ孔とを備えることを特徴とする鍵盤装置。
【発明の詳細な説明】
【技術分野】
【０００１】
本発明は、例えばシンセサイザ或いはキーボード等と呼ばれている電子楽器に適用して好適な鍵盤装置に関する。
【背景技術】
【０００２】
電子鍵盤楽器は、鍵盤操作で選択された音名の音の電気信号を生成する音源にエフェクタ等が組み込まれたモジュールが、鍵盤に一体に組込まれた型式と、鍵盤とモジュールとが分離され、演奏者の好みに応じて所望の品種のモジュールと、所望の品種の鍵盤とを組合わせて演奏することができる型式とが存在する。
鍵盤とモジュールとが一体化されている型式の電子鍵盤楽器は取扱が容易である反面、自由度が乏しい欠点がある。一方、鍵盤とモジュールとを切り離して構成する型式の楽器では鍵盤とモジュールとの選択が自由であるため汎用性が高く、多様な演奏に適合が可能である。
【発明の開示】
【発明が解決しようとする課題】
【０００３】
鍵盤とモジュールとが別々に切り離された型式の電子鍵盤楽器は上述したようにモジュールの組合せを自由に選択できることから多様な演奏を実現できる特質を有する。然し乍ら鍵盤とモジュールとが一体でないため、移動には手間が掛かる欠点がある。また演奏中でもモジュールに対して何等かの操作を加えなくてはならないから、モジュールを鍵盤の近傍、つまり、演奏者の手が届く範囲の位置に支持しておく必要がある。このために、鍵盤を支持するスタンドの他に、モジュールを支持するスタンドが必要となる。
また、最近は各種モジュールをラックマウント型にし、ラックマウントして利用する形態も多い。このような場合もラックを演奏者の手が届く範囲に設置しなければならないから、ラック用のスタンドが必要となり、コストが掛かる欠点が生じる。
【０００４】
本発明の目的は鍵盤と組合わせるモジュールを自由に選択できる機能を持ちながら鍵盤とモジュールを一体化して取扱うことができる鍵盤装置を提供しようとするものである。
【課題を解決するための手段】
【０００５】
本発明では扁平な基台の上面を２分割し、２分割した一方の領域に鍵盤を配置し、他方の領域にラックマウント部材を配置する。ラックマウント部材はラックマウント規格に準拠した寸法に配置されたビス孔を有し、このビス孔を用いてラックマウント型モジュールを装着し、基台を介して鍵盤とラックマウント型モジュールとを一体化する。
更に詳しくは、本発明の鍵盤装置は長方形状の平面を持つ基台と、この基台の平面の一方の長辺から短辺方向の半部を塞ぐ姿勢で装着された鍵盤と、鍵盤の背面に沿って配置した第１スライドレールと、基台の他方の長辺に沿って配置した第２スライドレールと、これら第１スライドレールと第２スライドレールによって基台の長辺方向に移動自在に支持した一対のラックマウント部材を備える構造としたことを特徴とする。
【０００６】
更に本発明の特徴は、一対のラックマウント部材は、それぞれ一端側は第１スライドレールの軸線方向に対してはスライド自在とされ、第１スライドレールの軸線と直交する向に対しては軸線を軸として回動自在に支持され、他端側はそれぞれ２本のリンクレバーを介して第２スライドレールにスライド自在に連結されている構造としたことを特徴とする。
更に、本発明の特徴はラックマウント部材は第１スライドレールの軸線を含む面と平行するラックマウント面と、このラックマウント面に中心位置が一方のラックマウント部材と他方のラックマウント部材のそれぞれの間でラックマウント規格に準拠した間隔を保持して形成したネジ孔とを備えることを特徴とする。
【発明の効果】
【０００７】
上述した本発明の特徴とする構成によれば基台の手前側に鍵盤が配置され、その鍵盤の背面側にラックマウント部材が配置される。ラックマウント部材にラックマウント型のモジュールを実装することにより、鍵盤とモジュールとは基台を介して一体化される。従って移動時は鍵盤とモジュールとを一体にして持ち運びできるから、取扱が容易である。
更に、ラックマウント部材に実装したモジュールは簡単に交換することができるから、演奏に適したモジュールを自由に選択して実装することができる。
更に、ラックマウント部材には、２本のリンクレバーを介して第２ガイドレールに連結したからラックマウント部材に実装したモジュールの前面パネル面を立ち上げること（以下チルトアップと称す）ができる。従って、モジュールのパネル面の姿勢を平らにした姿勢と、チルトアップした姿勢に設定することができ、演奏者の好みの姿勢を選択することができる。
【発明を実施するための最良の形態】
【０００８】
長方形の形状の偏平な基台上に一方の長辺に沿って鍵盤を実装する。鍵盤の背後にラックマウント部材を配置する。ラックマウント部材は鍵盤の背面に沿って配置した第１スライドレールと基台の他方の長辺に沿って配置した第２スライドレールに摺動自在に支持される。
【実施例１】
【０００９】
図１乃至図８に本発明の一実施例を示す。図中１００は基台、２００はこの基台１００の上面に実装した鍵盤、３００は鍵盤２００の背後に配置したラックマウント部材を示す。
基台１００はこの実施例では例えばアルミの押出型材で形成された角パイプを長方形の枠状に形成して構成した場合を示す。基台１００の上面側の開口面に基台１００の一方の長辺に沿って鍵盤２００を実装する。鍵盤２００の横幅Wは基台１００の長辺の長さにほぼ等しく、鍵盤２００の奥行きＤ１は基台１００の短辺の寸法Ｄ２の約１／２程度とされる。尚、この実施例では鍵盤２００は白鍵と黒鍵の他に音量コントロール用のホイール２０４と、音程変調用のホイール２０５とを併設した鍵盤の例を示す。
【００１０】
鍵盤２００の背面に第１スライドレールを配置し、更に基台１００の他方の長辺に沿って第２スライドレールを配置する。第１スライドレールと第２スライドレールの実施例を図４乃至図６に示す。図４及び図５は第１スライドレール３０１の実施例を示す。第１スライドレール３０１はこの実施例では鍵盤２００の上面を塞ぐ天板２０１と背面を塞ぐ背面板２０２と兼用した場合を示す。つまり、鍵盤２００の天板２０１と背面板２０２との接合部分に第１スライドレール３０１を構成する溝３０１−１を形成し、更に、この溝３０１−１の軸芯位置を中心とする円弧面３０１−２を背面板２０２の一部に形成し、これら溝３０１−１と円弧面３０１−２とによって第１スライドレール３０１を構成した場合を示す。これらの天板２０１と背面板２０２Ａ及び溝３０１−１と円弧面３０１−２はアルミの押出形材によって形成することができる。
【００１１】
図４に示した第１スライドレール３０１に図５に示すようにラックマウント部材３００から突出した連結部材３０２を係合させる。この連結部材３０２によってラックマウント部材３００は第１スライドレール３０１に対してスライド自在で、然も溝３０１−１の軸芯位置を中心に回動自在に支持される。
図６に第２スライドレール３１０と、この第２スライドレール３１０とラックマウント部材３００とを連結する連結部分の実施例を示す。この実施例では図６に示す第２スライドレール３１０を図１乃至図３に示した基台１００の枠を構成する角パイプで構成した場合を示す。第２スライドレール３１０は上面と下面に溝３１０−１を有し、この溝３１０−１にＣ字状断面を持つスライダ３１０−２の遊端を係合させスライダ３１０−２を第２スライドレール３１０に沿って移動自在に支持する。スライダ３１０−２は所定の間隔を保持して第２スライドレール３１０に２個取付られる。
【００１２】
スライダ３１０−２には第１リンクレバー３１０−３を回動自在に装着し、この第１リンクレバー３１０−３の回動遊端には第２リンクレバー３１０−４を回動自在に装着する。これら第１リンクレバー３１０−３と第２リンクレバー３１０−４はそれぞれ第２スライドレール３１０の軸線と平行する軸によって回動自在に支持される。従ってその回動方向は第２スライドレール３１０の軸線と直交する面を回動面とする方向に回動する。第２リンクレバー３１０−４の回動遊端をラックマウント部材３００に回動自在に連結し、ラックマウント部材３００をチルトアップが可能で、且つ基台１００の長辺方向に移動自在に支持する。
【００１３】
図７は第１リンクレバー３１０−３と第２リンクレバー３１０−４が最も折畳まれた状態を示し、図８はラックマウント部材３００をチルトアップさせる途中の状態を示す。また、図６に示す状態はラックマウント部材３００をチルトアップして安定させた状態を示す。この安定状態では第１リンクレバー３１０−３と第２リンクレバー３１０−４は逆くの字に折返された状態でストッパでその状態を維持している状態を示す。このように、第１リンクレバー３１０−３と第２リンクレバー３１０−４を上死点位置を通過させて、逆くの字の状態でストッパーで受け止める構造とすることにより、この安定状態でラックマウント部材３００に多少の力が加わっても第１リンクレバー３１０−３と第２リンクレバー３１０−４が意に反して折り畳まれる方向に回動する事故の発生を阻止することができる。つまり、第１リンクレバー３１０−３と第２リンクレバー３１０−４が上死点位置の近傍乃至は上死点位置より手前の位置を安定位置とした場合は、その安定状態を維持させるためのストッパはバネ等の弾性を利用した係止構造が採られる。このために係止力を強く採ったとしても、安定状態でラックマウント部材３００に強い力が与えられると、ストッパの係止力が耐えきれず係合が外れてしまい、ラックマウント部材３００が平らな姿勢に戻る方向に移動し、この移動が利用者の意に反する結果手を挟む等の事故が起きるおそれがある。
【００１４】
これに対し、図６に示す姿勢で受け止めるストッパはバネを用いることなく、第１リンクレバー３１０−３と第２リンクレバー３１０−４の回動位置を制限する突起等で形成したストッパを用いることができるため、利用者の意に反してラックマウント部材３００がチルトアップ状態から戻る方向に回動する事故の発生を阻止することができる。
図８に示す突起３１０−５はこのストッパを構成するための突起である。また第１リンクレバー３１０−３に形成して突片３１０−６はチルトアップ状態から、折り畳む方向に第１リンクレバー３１０−３を回動させるための把手として作用する。
【００１５】
ラックマウント部材３００は第１スライドレール３１０の軸線を含む面と平行なラックマウント面３００−１を有し、このラックマウント面３００−１にネジ孔３１１（図１、図２参照）が形成される。このネジ孔３１１の中心間の寸法Ｌ（図１、図２）はラックマウント規格に準拠した寸法に選定される。ラックマウント規格では標準ラック規格として１９インチが標準とされている。従って、寸法Ｌを１９インチに選定することにより、この標準規格に準拠して作られた各種モジュールをラックマウント部材３００に装着することができる。
【００１６】
図９乃至図１２にモジュールの実装例を示す。図９乃至図１１に示すモジュール４００は例えば音源装置或いはエフェクタ等とすることができる。この発明によれば図９に示すように、モジュール４００を中央に配置することも、また図１０に示すように何れか一方の端に寄せて配置することもできる。何れか一方に寄せて配置した場合には、他方の端に空きスペースを得ることができるから、この空きスペースに例えば台を配置すればノートパソコン等を置くことができ、ノートパソコンと連動して演奏を行なう状況を作ることができる。図１１はチルトアップの状態、図１２はチルトダウンの状態を示す。
【産業上の利用可能性】
【００１７】
電子鍵盤楽器の分野で活用される。
【図面の簡単な説明】
【００１８】
【図１】この発明による鍵盤装置の一実施例を説明するための平面図。
【図２】図１の正面図。
【図３】図１の側面図。
【図４】この発明に用いた第１スライドレールの詳細を説明するための断面図。
【図５】この発明に用いた第１スライドレールとラックマウント部材との連結部分の構造を説明するための断面図。
【図６】この発明に用いた第２スライドレールとラックマウント部材との連結部分の構造を説明するための断面図。
【図７】この発明による鍵盤装置に付設したラックマウント部材を平らな姿勢に収納した状況を説明するための側面図。
【図８】この発明による鍵盤装置に付設したラックマウント部材をチルトアップする途中の状況を説明するための側面図。
【図９】この発明による鍵盤装置にモジュールを実装した状況を説明するための正面図。
【図１０】この発明の鍵盤装置により実装したモジュールの位置を変更した状態を説明するための正面図。
【図１１】この発明の鍵盤装置により実装したモジュールをチルトアップした状態を説明するための側面図。
【図１２】この発明による鍵盤装置により実装したモジュールを平らな姿勢にすることができることを説明するための側面図。
【符号の説明】
【００１９】
１００    基台                            ３１０    第２スライドレール
２００    鍵盤                        ３１０−１    溝
２０１    天板                        ３１０−２    スライダ
２０２    背面板                      ３１０−３    第１リンクレバー
３００    ラックマウント部材          ３１０−４    第２リンクレバー
３００−１    ラックマウント面            ３１０−５    突起
３０１    第１スライドレール          ３１０−６    突片
３０１−１    溝                              ３１１    ネジ孔
３０２    連結部材
３０２−２    円弧面
【図１】
0004648808.tif 000002
【図２】
0004648808.tif 000003
【図３】
0004648808.tif 000004
【図４】
0004648808.tif 000005
【図５】
0004648808.tif 000006
【図６】
0004648808.tif 000007
【図７】
0004648808.tif 000008
【図８】
0004648808.tif 000009
【図９】
0004648808.tif 000010
【図１０】
0004648808.tif 000011
【図１１】
0004648808.tif 000012
【図１２】
0004648808.tif 000013